(57)【要約】【課題】シリーズレギュレータとスイッチングレギュレータとを切り換えて動作させる電源装置において、その切り換え動作時に出力電圧の変動を抑制すること。【解決手段】この発明では、シリーズレギュレータ１が、単独動作する場合の第１の出力能力と、その第１の出力能力よりも相対的に大きな第２の出力能力とを有し、この２つの出力能力を選択的に切り換えるようになっている。スイッチングレギュレータ２からシリーズレギュレータ１に動作を切り換える場合には、シリーズレギュレータ１は第１の出力能力で動作させ、シリーズレギュレータ１からスイッチングレギュレータ２に動作を切り換える場合には、その切り換え直後の所定期間はシリーズレギュレータ１とスイッチングレギュレータ２とを同時動作させ、その同時動作の所定期間はシリーズレギュレータ１は第２の出力能力で動作させるようになっている。【選択図】図１
2007202260.tif 000002
【特許請求の範囲】
【請求項１】
シリーズレギュレータとスイッチングレギュレータとを備え、前記シリーズレギュレータと前記スイッチングレギュレータとを選択的に動作させる電源装置であって、
前記シリーズレギュレータは、単独動作する場合の第１の出力能力と、その第１の出力能力よりも相対的に大きな第２の出力能力とを有し、
前記スイッチングレギュレータから前記シリーズレギュレータに動作を切り換える場合には、前記シリーズレギュレータは第１の出力能力で動作させ、
前記シリーズレギュレータから前記スイッチングレギュレータに動作を切り換える場合には、その切り換え直後の所定期間は前記シリーズレギュレータと前記スイッチングレギュレータとを同時動作させ、その同時動作の所定期間は前記シリーズレギュレータは第２の出力能力で動作させるようにしたことを特徴とする電源装置。
【請求項２】
前記シリーズレギュレータは、
出力電圧を基準電圧と比較し、その差に応じた誤差信号を出力する誤差増幅器と、
前記誤差信号に応じて前記出力電圧を制御するトランジスタと、を備え、
前記誤差増幅器の基準電圧として、前記第１の出力能力の動作時に第１基準電圧を供給し、前記第２の出力能力の動作時に前記第１基準電圧よりも相対的に大きな第２基準電圧を供給するようになっていることを特徴とする請求項１に記載の電源装置。
【請求項３】
前記第１基準電圧と前記第２基準電圧をそれぞれ生成する基準電圧生成回路と、
前記基準電圧生成回路で生成する第１基準電圧と第２基準電圧とを前記誤差増幅器に選択的に供給するスイッチと、
をさらに備えることを特徴とする請求項２に記載の電源装置。
【請求項４】
前記シリーズレギュレータは、
出力電圧を基準電圧と比較し、その差に応じた誤差信号を出力する誤差増幅器と、
前記誤差信号に応じて前記出力電圧を制御する第１のトランジスタと、
前記誤差信号に応じて前記出力電圧を制御し、前記第１のトランジスタよりも相対的に大きなサイズの第２のトランジスタと、を備え、
前記第１の出力能力の動作時に前記第１のトランジスタを使用し、前記第２の出力能力の動作時に前記第２のトランジスタを使用するようになっていることを特徴とする請求項１に記載の電源装置。
【請求項５】
前記誤差増幅器から出力する誤差信号を、前記第１のトランジスタと前記第２のトランジスタとに選択的に供給するスイッチを、さらに備えることを特徴とする請求項４に記載の電源装置。
【請求項６】
前記シリーズレギュレータは、
出力電圧を基準電圧と比較し、その差に応じた誤差信号を出力する誤差増幅器と、
前記基準電圧として、第１基準電圧とそれよりも相対的に大きな第２基準電圧とをそれぞれ生成する基準電圧生成回路と、
前記基準電圧生成回路で生成する第１基準電圧と第２基準電圧とを前記誤差増幅器に選択的に供給する第１のスイッチと、
前記誤差信号に応じて前記出力電圧を制御する第１のトランジスタと、
前記誤差信号に応じて前記出力電圧を制御し、前記第１のトランジスタのサイズよりも相対的に大きな第２のトランジスタと、
前記誤差増幅器から出力する誤差信号を、前記第１のトランジスタと前記第２のトランジスタとに選択的に供給する第２のスイッチとを備え、
前記スイッチングレギュレータから前記シリーズレギュレータに動作を切り換える場合には、前記第１のスイッチは前記基準電圧生成回路で生成する第１基準電圧を前記誤差増幅器に供給するように動作させ、これと同時に前記第２のスイッチは前記誤差増幅器から出力する誤差信号を前記第１のトランジスタに供給するように動作させ、
前記シリーズレギュレータから前記スイッチングレギュレータに動作を切り換える場合には、その切り換え直後の所定期間は前記シリーズレギュレータと前記スイッチングレギュレータとを同時動作させ、その同時動作の所定期間は、前記第１のスイッチは前記基準電圧生成回路で生成する第２基準電圧を前記誤差増幅器に供給するように動作させ、これと同時に前記第２のスイッチは前記誤差増幅器から出力する誤差信号を前記第２のトランジスタに供給するように動作させることを特徴とする請求項１に記載の電源装置。
【請求項７】
出力電圧を所定値に制御するシリーズレギュレータと、スイッチング素子をオンオフさせて出力電圧を所定値に制御するスイッチングレギュレータとを備え、前記シリーズレギュレータと前記スイッチングレギュレータとを選択的に動作させる電源装置であって、
前記シリーズレギュレータから前記スイッチングレギュレータに動作を切り換える場合には、その切り換え直後の所定期間は前記シリーズレギュレータと前記スイッチングレギュレータとを同時動作させ、
その同時動作の所定期間は、前記スイッチングレギュレータは、フィードバック制御を行わずに所定のデューティからなるパルスで前記スイッチング素子をオンオフさせるようにしたことを特徴とする電源装置。
【請求項８】
前記所定のデューティからなるパルスは、前記シリーズレギュレータの設定出力電圧
に基づいて決定することを特徴とする請求項７に記載の電源装置。
【請求項９】
前記スイッチングレギュレータは、
入力電圧をオンオフするスイッチング素子と、
出力電圧を基準電圧と比較し、その差に応じた誤差信号を出力する誤差増幅器と、
所定の発振周波数で発振する発振器と、
前記誤差増幅器の誤差信号と前記発振器の発振出力とに基づき、前記誤差信号の大小に応じたパルスを発生する比較回路と、
前記比較回路が発生するパルスと所定のデューティからなるパルスとを選択的に出力するスイッチと、
前記スイッチから出力されるパルスに基づいて前記スイッチング素子をオンオフさせるプリドライブ回路と、を備え、
前記スイッチは、前記所定期間内には前記所定のデューティからなるパルスを前記プリドライブ回路に出力するようになっていることを特徴とする請求項７または請求項８に記載の電源装置。
【発明の詳細な説明】
【技術分野】
【０００１】
本発明は、電源装置に関し、特に、シリーズレギュレータとスイッチングレギュレータとを備え、これらを負荷の大きさに応じて切り換えて動作させる電源装置に関するものである。
【背景技術】
【０００２】
従来、この種の電源装置としては、例えば特許文献１、特許文献２、および特許文献３に記載の各電源装置が知られている。
特許文献１に記載の電源装置（第１の従来措置）は、シリーズレギュレータとスイッチングレギュレータの動作の切り換え時に、それらを同時に動作させることで、出力電圧の変動を抑制するようにしたものである。そして、スイッチングレギュレータは、同期方式動作と非同期方式動作とを切り換え可能であり、単独動作時に同期方式動作を行い、シリーズレギュレータとの同時動作時に非同期式動作を行うようになっている。
【０００３】
特許文献２に記載の電源装置（第２の従来装置）は、シリーズレギュレータからスイッチングレギュレータへの動作の切り換え時に、それらを同時に動作させる同時動作期間を設け、その同時動作期間内ではスイッチングレギュレータの能力を通常より弱めるようにしたものである。
【０００４】
特許文献３に記載の電源装置（第３の従来装置）は、スイッチングレギュレータからシリーズレギュレータへの切り換え指示に対しては直ちに切り換えを行い、シリーズレギュレータからスイッチングレギュレータへの切り換え指示に対してはスイッチングレギュレータのソフト機能をスタートさせてソフトスタート信号が所定値に達するまではスイッチングレギュレータの出力を電源装置の出力から切断してシリーズレギュレータの出力を電源装置の出力とし、ソフトスタート信号が所定値に達してから電源装置の出力をスイッチングレギュレータの出力に切り換えるようにしたものである。
【特許文献１】特開２００３−９５１５号公報
【特許文献２】特開２００５−１３０６２２号公報
【特許文献３】特開２００５−１６８２３０号公報
【発明の開示】
【発明が解決しようとする課題】
【０００５】
しかし、第１の従来装置のように、シリーズレギュレータとスイッチングレギュレータに同時動作期間を設けると、シリーズレギュレータとスイッチングレギュレータはフィードバック系において帰還点と共有するので、スイッチングレギュレータの立ち上げ時に出力電圧が一時的に目標電圧から外れるアンダーシュートまたはオーバーシュートが発生する。このように、単に同時動作期間を設けるだけでは、出力電圧の過渡的な変動を避けることができずに、切り換え前後において安定した出力電圧が得られないという不具合がある。
【０００６】
また、第１の従来装置では、同時動作期間を設けるので、出力回路において無効電流が流れてしまう不具合がある。この不具合を解消するために、その同時動作期間には、スイッチングレギュレータは非同期式動作を行うようになっている。
第２の従来装置では、第１の従来技術に比べて出力電圧の変動を抑制が期待できる。しかし、シリーズレギュレータとスイッチングレギュレータの同時動作期間内では、スイッチングレギュレータの能力を通常より弱めるようにしているので、その抑制効果は設計者が予測することができない製造プロセスのばらつきに大きく左右されることが予想される。また、その制御が難しく、そのばらつきを補完する付加的な回路が必要となる。
【０００７】
第３の従来装置では、ソフトスタート回路と、スイッチングレギュレータとシリーズレギュレータの出力電圧を切り換えるためのスイッチとが必要になる上に、そのスイッチはＭＯＳトランジスタからなるアナログスイッチからなる。そして、そのスイッチによって負荷との切り換えることになり、ＭＯＳトランジスタのサイズを大きくする必要があり、必ずしも適切とはいえない。
【０００８】
そこで、本発明は上記の点に鑑み、その目的は、シリーズレギュレータとスイッチングレギュレータとを切り換えて動作させる電源装置において、その切り換え動作時に出力電圧の変動を抑制できる電源装置を提供することにある。
【課題を解決するための手段】
【０００９】
上記の課題を解決し本発明の目的を達成するために、各発明は、以下のような構成からなる。
すなわち、第１の発明は、シリーズレギュレータとスイッチングレギュレータとを備え、前記シリーズレギュレータと前記スイッチングレギュレータとを選択的に動作させる電源装置であって、前記シリーズレギュレータは、単独動作する場合の第１の出力能力と、その第１の出力能力よりも相対的に大きな第２の出力能力とを有し、前記スイッチングレギュレータから前記シリーズレギュレータに動作を切り換える場合には、前記シリーズレギュレータは第１の出力能力で動作させ、前記シリーズレギュレータから前記スイッチングレギュレータに動作を切り換える場合には、その切り換え直後の所定期間は前記シリーズレギュレータと前記スイッチングレギュレータとを同時動作させ、その同時動作の所定期間は前記シリーズレギュレータは第２の出力能力で動作させるようにした。
【００１０】
第２の発明は、第１の発明において、前記シリーズレギュレータは、出力電圧を基準電圧と比較し、その差に応じた誤差信号を出力する誤差増幅器と、前記誤差信号に応じて前記出力電圧を制御するトランジスタと、を備え、前記誤差増幅器の基準電圧として、前記第１の出力能力の動作時に第１基準電圧を供給し、前記第２の出力能力の動作時に前記第１基準電圧よりも相対的に大きな第２基準電圧を供給するようになっている。
【００１１】
第３の発明は、第２の発明において、前記第１基準電圧と前記第２基準電圧をそれぞれ生成する基準電圧生成回路と、前記基準電圧生成回路で生成する第１基準電圧と第２基準電圧とを前記誤差増幅器に選択的に供給するスイッチと、をさらに備えている。
【００１２】
第４の発明は、第１の発明において、前記シリーズレギュレータは、出力電圧を基準電圧と比較し、その差に応じた誤差信号を出力する誤差増幅器と、前記誤差信号に応じて前記出力電圧を制御する第１のトランジスタと、前記誤差信号に応じて前記出力電圧を制御し、前記第１のトランジスタよりも相対的に大きなサイズの第２のトランジスタと、を備え、前記第１の出力能力の動作時に前記第１のトランジスタを使用し、前記第２の出力能力の動作時に前記第２のトランジスタを使用するようになっている。
【００１３】
第５の発明は、第４の発明において、前記誤差増幅器から出力する誤差信号を、前記第１のトランジスタと前記第２のトランジスタとに選択的に供給するスイッチを、さらに備えている。
【００１４】
第６の発明は、第１の発明において、前記シリーズレギュレータは、出力電圧を基準電圧と比較し、その差に応じた誤差信号を出力する誤差増幅器と、前記基準電圧として、第１基準電圧とそれよりも相対的に大きな第２基準電圧とをそれぞれ生成する基準電圧生成回路と、前記基準電圧生成回路で生成する第１基準電圧と第２基準電圧とを前記誤差増幅器に選択的に供給する第１のスイッチと、前記誤差信号に応じて前記出力電圧を制御する第１のトランジスタと、前記誤差信号に応じて前記出力電圧を制御し、前記第１のトランジスタのサイズよりも相対的に大きな第２のトランジスタと、前記誤差増幅器から出力する誤差信号を、前記第１のトランジスタと前記第２のトランジスタとに選択的に供給する第２のスイッチとを備え、前記スイッチングレギュレータから前記シリーズレギュレータに動作を切り換える場合には、前記第１のスイッチは前記基準電圧生成回路で生成する第１基準電圧を前記誤差増幅器に供給するように動作させ、これと同時に前記第２のスイッチは前記誤差増幅器から出力する誤差信号を前記第１のトランジスタに供給するように動作させ、前記シリーズレギュレータから前記スイッチングレギュレータに動作を切り換える場合には、その切り換え直後の所定期間は前記シリーズレギュレータと前記スイッチングレギュレータとを同時動作させ、その同時動作の所定期間は、前記第１のスイッチは前記基準電圧生成回路で生成する第２基準電圧を前記誤差増幅器に供給するように動作させ、これと同時に前記第２のスイッチは前記誤差増幅器から出力する誤差信号を前記第２のトランジスタに供給するように動作させるようになっている。
【００１５】
第７の発明は、出力電圧を所定値に制御するシリーズレギュレータと、スイッチング素子をオンオフさせて出力電圧を所定値に制御するスイッチングレギュレータとを備え、前記シリーズレギュレータと前記スイッチングレギュレータとを選択的に動作させる電源装置であって、前記シリーズレギュレータから前記スイッチングレギュレータに動作を切り換える場合には、その切り換え直後の所定期間は前記シリーズレギュレータと前記スイッチングレギュレータとを同時動作させ、その同時動作の所定期間は、前記スイッチングレギュレータは、フィードバック制御を行わずに所定のデューティからなるパルスで前記スイッチング素子をオンオフさせるようにした。
【００１６】
第８の発明は、第７の発明において、前記所定のデューティからなるパルスは、前記シリーズレギュレータの設定出力電圧  に基づいて決定するようにした。
【００１７】
第９の発明は、第７または第８の発明において、前記スイッチングレギュレータは、入力電圧をオンオフするスイッチング素子と、出力電圧を基準電圧と比較し、その差に応じた誤差信号を出力する誤差増幅器と、所定の発振周波数で発振する発振器と、前記誤差増幅器の誤差信号と前記発振器の発振出力とに基づき、前記誤差信号の大小に応じたパルスを発生する比較回路と、前記比較回路が発生するパルスと所定のデューティからなるパルスとを選択的に出力するスイッチと、前記スイッチから出力されるパルスに基づいて前記スイッチング素子をオンオフさせるプリドライブ回路と、を備え、前記スイッチは、前記所定期間内には前記所定のデューティからなるパルスを前記プリドライブ回路に出力するようになっている。
【００１８】
このような構成からなる本発明によれば、シリーズレギュレータからスイッチングレギュレータへの動作の切り換え時に、出力電圧の変動を抑制できる。
【発明を実施するための最良の形態】
【００１９】
以下、本発明の実施形態について、図面を参照して説明する。
（第１実施形態）
本発明の電源装置の第１実施形態の構成について、図１を参照して説明する。
この第１実施形態に係る電源装置は、図１に示すように、シリーズレギュレータ１と、スイッチングレギュレータ２と、共通の出力端子３とを備え、共通の出力端子３に接続される負荷（図示せず）の大きさに応じて、シリーズレギュレータ１とスイッチングレギュレータ２とを選択的に動作させるようになっている。その動作の切り換えは、制御端子５に供給される動作切り換え信号Ｓ１を用いて行うようになっている。また制御端子５を用いずに、負荷を検知する装置を用いて、自動切換を行っても良い。
【００２０】
また、この第１実施形態は、シリーズレギュレータ１が、単独動作する場合の第１の出力能力（駆動能力）と、その第１の出力能力よりも相対的に大きな第２の出力能力とを有し、この２つの出力能力を後述のように選択的に切り換えるようになっている。その出力能力の切り換えは、制御端子４に供給される能力切り換え信号Ｓ２を用いて行うようになっている。
【００２１】
さらに、この第１実施形態では、スイッチングレギュレータ２からシリーズレギュレータ１に動作を切り換える場合には、シリーズレギュレータ１は第１の出力能力で動作させ、シリーズレギュレータ１からスイッチングレギュレータ２に動作を切り換える場合には、その切り換え直後の所定期間はシリーズレギュレータ１とスイッチングレギュレータ２とを同時動作させ、その同時動作の所定期間はシリーズレギュレータ１は第２の出力能力で動作させるようになっている。
【００２２】
ここで、この第１実施形態は、図示のように、スイッチングレギュレータ２を構成するコイルＬ１と、シリーズレギュレータ１とスイッチングレギュレータ２に兼用されるコンデンサＣ１と、抵抗Ｒ１、Ｒ２からなり出力電圧ＶＯＵＴを検出するための出力電圧検出回路とを含み、これらは外付けとなっている。
次に、この第１実施形態の各部の構成の詳細について説明する。
【００２３】
シリーズレギュレータ１は、単独の動作時（通常動作時）に、出力電圧を第１基準電圧ＶＲ１を用いて比較し、この比較出力に基づいて共通の出力端子３の出力電圧ＶＯＵＴを所定値に制御するようになっている。
また、シリーズレギュレータ１は、シリーズレギュレータ１からスイッチングレギュレータ２に動作を切り換える場合には、その切り換え直後の所定期間はスイッチングレギュレータ２と同時動作し、その同時動作の所定期間には、出力電圧を第２基準電圧ＶＲ２を用いて比較し、この比較出力に基づいて共通の出力端子３の出力電圧ＶＯＵＴを所定値に制御するようになっている。
【００２４】
このため、シリーズレギュレータ１は、誤差増幅器１１と、Ｐ型のＭＯＳトランジスタ１２と、スイッチ１３とを備えるとともに、基準電圧生成回路１４を含み、その動作時に、出力電圧ＶＯＵＴが所定値になるようにＭＯＳトランジスタ１２の導通制御を連続的に行うようになっている。
ここで、ＭＯＳトランジスタ１２は、第１の出力能力で動作するとともに、その第１の出力能力よりも相対的に大きな第２の出力能力で動作するので、その第２の出力能力を発揮できるサイズであることが好ましい。
【００２５】
誤差増幅器１１は、出力電圧ＶＯＵＴを検出した検出電圧を第１基準電圧ＶＲ１または第２基準電圧ＶＲ２と比較し、その差に応じた誤差信号をそれぞれ生成して出力するようになっている。ここで、ＶＲ１とＶＲ２は、ＶＲ２＞ＶＲ１の関係にある。
このため、誤差増幅器１１は、基準電圧生成回路１４からの第１基準電圧ＶＲ１と第２基準電圧ＶＲ２とがスイッチ１３によって選択的に＋入力端子に供給され、出力電圧ＶＯＵＴを抵抗Ｒ１、Ｒ２で分圧した分圧電圧が検出電圧として−入力端子に供給されるようになっている。
【００２６】
誤差増幅器１１の出力は、ＭＯＳトランジスタ１２のゲートに供給されるようになっている。ＭＯＳトランジスタ１２のソースには入力電圧ＶＤＤが印加され、そのドレインが共通の出力端子３に接続されている。
スイッチ１３は、基準電圧生成回路１４の生成する第１基準電圧ＶＲ１と第２基準電圧ＶＲ２とを選択的に誤差増幅器１１の＋入力端子に供給するようになっている。スイッチ１３の上記の選択動作は、制御端子４に入力される能力切り換え信号Ｓ２によって制御されるようになっている。
【００２７】
基準電圧生成回路１４は、誤差増幅器１１に供給する第１基準電圧ＶＲ１および第２基準電圧ＶＲ２と、後述のスイッチングレギュレータ２の誤差増幅器２１に供給する基準電圧ＶＲ０とを生成するようになっている。
スイッチングレギュレータ２は、出力電圧を基準電圧ＶＲ０を用いて比較し、この比較出力に基づいて共通の出力端子３に出力する出力電圧ＶＯＵＴを所定値に制御するようになっている。
【００２８】
このため、スイッチングレギュレータ２は、図示のように、誤差増幅器２１と、電圧制御発振器（ＶＣＯ）２２と、比較回路２３と、プリドライブ回路２４と、Ｐ型のＭＯＳトランジスタ２５と、Ｎ型のＭＯＳトランジスタ２６と、コイルＬ１と、コンデンサＣ１とを備え、その動作時に、出力電圧ＶＯＵＴが所定値になるように入力電圧ＶＤＤをオンオフ制御するようになっている。
【００２９】
誤差増幅器２１は、出力電圧ＶＯＵＴを検出した検出電圧を基準電圧ＶＲ０と比較し、その差に応じた誤差信号を生成して出力するようになっている。
このため、誤差増幅器２１は、その＋入力端子に基準電圧生成回路１４で生成される基準電圧ＶＲ０が供給され、その−入力端子に出力電圧ＶＯＵＴを抵抗Ｒ１、Ｒ２で分圧した検出電圧が供給されるようになっている。誤差増幅器２１の出力は比較回路２３の＋入力端子に供給されるようになっている。
【００３０】
電圧制御発振器２２は、所定の発振周波数で発振し、その発振出力は、比較回路２３の−入力端子に供給されるようになっている。
比較回路２３は、誤差増幅器２１からの誤差信号と電圧制御発振器２２からの発振出力とに基づき、所定のＰＷＭ信号（ＰＷＭ波）を生成し、この生成されたＰＷＭ信号をプリドライブ回路２４に出力するようになっている。すなわち、比較回路２３は、誤差増幅器２１からの誤差信号の大小に応じて、そのパルス幅が異なる所定のパルスを生成して出力するようになっている。
【００３１】
プリドライブ回路２４は、比較回路２３から出力されるＰＷＭ信号に基づき、ＭＯＳトランジスタ２５、２６をそれぞれオンオフ動作させるオンオフ信号を生成するようになっている。
ＭＯＳトランジスタ２５とＭＯＳトランジスタ２６とは、プリドライブ回路２４からのオンオフ信号に応じて一方がオンのときには他方がオフとなり、入力電圧ＶＤＤと接地電圧ＶＳＳをオンオフ制御するようになっている。
【００３２】
ＭＯＳトランジスタ２５とＭＯＳトランジスタ２６との共通接続部は端子６に接続され、その端子６にコイルＬ１の一端が接続され、そのコイルＬ１の他端とアースとの間にコンデンサＣ１が接続されている。そして、そのコイルＬ１とコンデンサＣ１とは、出力端子３から出力されるスイッチングレギュレータ２の出力電圧ＶＯＵＴを平滑化するようになっている。
【００３３】
次に、このような構成からなる第１実施形態の動作例について、図１および図２を参照して説明する。
図２（Ａ）に示すように、出力端子３に接続されている負荷が所定値よりも大きな場合には、動作切り換え信号Ｓ１がＨレベルとなり、スイッチングレギュレータ２が動作し、シリーズレギュレータ１は動作が停止状態となる。従って、負荷が所定値よりも大きな場合には、スイッチングレギュレータ２により負荷に電力が供給される。
【００３４】
一方、出力端子３に接続されている負荷が所定値よりも小さな場合には、動作切り換え信号Ｓ１がＬレベルとなり、シリーズレギュレータ１が動作し、スイッチングレギュレータ２は動作が停止状態となる。ただし、この場合には、シリーズレギュレータ１は、本来（通常）の動作であるので、その出力能力が第１の出力能力となるように動作する。
すなわち、この場合には、図２（Ｃ）に示すように能力切り換え信号Ｓ２はＬレベルとなり、スイッチ１３の可動接点が図１に示す状態となるので、誤差増幅器１１に供給される基準電圧は、基準電圧生成回路１４が生成する第１基準電圧ＶＲ１になる（図２（Ｄ）参照）。
【００３５】
このため、シリーズレギュレータ１は、単独の動作時（通常動作時）に、出力電圧を第１基準電圧ＶＲ１を用いて比較し、この比較出力に基づいて出力端子３の出力電圧ＶＯＵＴを所定値に制御する。
ところで、シリーズレギュレータ１からスイッチングレギュレータ２に動作を切り換える場合には、図２（Ａ）に示すように動作切り換え信号Ｓ１はＬレベルからＨレベルに変化する。また、このときには、図２（Ｃ）に示すように能力切り換え信号Ｓ２もＬレベルからＨレベルに変化する。
【００３６】
これにより、その切り換え直後の所定期間Ｔ１は、シリーズレギュレータ１とスイッチングレギュレータ２とが同時動作する。そして、その同時動作の所定期間Ｔ１には、シリーズレギュレータ１は、スイッチングレギュレータ２の動作の移行に伴う出力電圧の低下を補完するための出力補完動作を行うので、その出力能力が第２の出力能力となるように動作する。
【００３７】
すなわち、その所定期間Ｔ１では、図２（Ｃ）に示すように能力切り換え信号Ｓ２はＨレベルとなり、スイッチ１３の可動接点が図１の位置とは反対側の位置に切り換わるので、誤差増幅器１１に供給される基準電圧は、基準電圧生成回路１４が生成する基準電圧ＶＲ２になる（図２（Ｄ）参照）。
このため、その所定期間１には、シリーズレギュレータ１は出力電圧を第２基準電圧ＶＲ２を用いて比較し、この比較出力に基づいて出力端子３の出力電圧ＶＯＵＴを所定値に制御する。
【００３８】
このため、シリーズレギュレータ１からスイッチングレギュレータ２に動作を切り換える場合には、その切り換え直後の所定期間Ｔ１に、スイッチングレギュレータ２が出力電圧ＶＯＵＴを低下させようとするが、その低下をシリーズレギュレータ１の通常動作よりも大きな出力能力によって補完することができる。この結果、出力電圧ＶＯＵＴは、図２（Ｅ）に示すように変動を抑制することができる。
【００３９】
以上のように、この第１実施形態では、シリーズレギュレータ１が、単独動作する場合の第１の出力能力と、その第１の出力能力よりも相対的に大きな第２の出力能力とを有し、この２つの出力能力を選択的に切り換えるようにした。
このため、この第１実施形態では、シリーズレギュレータ１からスイッチングレギュレータ２への動作の切り換え時に、出力電圧の変動を抑制できる。
【００４０】
（第２実施形態）
本発明の電源装置の第２実施形態について、図３を参照して説明する。
この第２実施形態に係る電源装置は、図３に示すように、シリーズレギュレータ１Ａと、スイッチングレギュレータ２と、共通の出力端子３とを備え、共通の出力端子３に接続される負荷（図示せず）の大きさに応じて、シリーズレギュレータ１Ａとスイッチングレギュレータ２とを選択的に動作させるようになっている。
この第２実施形態は、図１に示す第１実施形態のシリーズレギュレータ１を、図３に示すようなシリーズレギュレータ１Ａに置き換えたものであり、その他の部分の構成は第１実施形態と同様である。
【００４１】
この第２実施形態は、第１実施形態のシリーズレギュレータ１と同様に、シリーズレギュレータ１Ａが、単独に動作する場合の第１の出力能力と、その第１の出力能力よりも相対的に大きな第２の出力能力とを有し、この実現のためにそのサイズの異なる２つのＭＯＳトランジスタ１２Ａ、１２Ｂを備えている。そして、その２つの出力能力は、その２つのＭＯＳトランジスタを選択的に切り換えることで実現するようになっている。
【００４２】
すなわち、シリーズレギュレータ１Ａは、単独の動作時に、ＭＯＳトランジスタ１２Ａを使用するようにし、出力電圧を基準電圧ＶＲ１を用いて比較し、この比較出力に基づいて共通の出力端子３の出力電圧ＶＯＵＴを所定値に制御するようになっている。
また、シリーズレギュレータ１Ａは、シリーズレギュレータ１Ａからスイッチングレギュレータ２に動作を切り換える場合には、その切り換え直後の所定期間はスイッチングレギュレータ２と同時動作するようになっている。そして、その同時動作の所定期間には、ＭＯＳトランジスタ１２Ｂを使用するようにし、出力電圧を基準電圧ＶＲ１を用いて比較し、この比較出力に基づいて共通の出力端子３の出力電圧ＶＯＵＴを所定値に制御するようになっている。
【００４３】
次に、この第２実施形態の各部の構成の詳細について説明するが、第１実施形態と同様の構成要素には同一符号を付してその説明を省略する。
シリーズレギュレータ１Ａは、誤差増幅器１１と、スイッチ１５と、２つのＰ型のＭＯＳトランジスタ１２Ａ、１２Ｂとを備えるとともに、基準電圧生成回路１４Ａを含み、その動作時に、出力電圧ＶＯＵＴが所定値になるようにＭＯＳトランジスタ１２Ａ、またはＭＯＳトランジスタ１２Ｂの導通制御を連続的に行うようになっている。
【００４４】
ここで、ＭＯＳトランジスタ１２Ａは、第１の出力能力で動作する通常動作時に使用するようになっている。一方、ＭＯＳトランジスタ１２Ｂは、その第１の出力能力よりも相対的に大きな第２の出力能力で動作する際に使用するようになっており、ＭＯＳトランジスタ１２Ａよりもそのトランジスタサイズが大きなものである。
誤差増幅器１１は、出力電圧ＶＯＵＴを検出した検出電圧を基準電圧ＶＲ１と比較し、その差に応じた誤差信号を生成して出力するようになっている。このため、誤差増幅器１１は、基準電圧生成回路１４Ａからの基準電圧ＶＲ１が＋入力端子に供給され、出力電圧ＶＯＵＴを抵抗Ｒ１、Ｒ２で分圧した分圧電圧が検出電圧として−入力端子に供給されるようになっている。誤差増幅器１１の出力は、ＭＯＳトランジスタ１２ＡのゲートまたはＭＯＳトランジスタ１２Ｂのゲートに供給されるようになっている。
【００４５】
スイッチ１５は、誤差増幅器１１の出力を、ＭＯＳトランジスタ１２ＡまたはＭＯＳトランジスタ１２Ｂの各ゲートに選択的に供給するようになっている。スイッチ１５の上記の選択動作は、制御端子４に入力される能力切り換え信号Ｓ２によって制御されるようになっている。
ＭＯＳトランジスタ１２Ａ、１２Ｂの各ソースは共通接続され、その共通接続部には入力電圧ＶＤＤが印加されている。また、ＭＯＳトランジスタ１２Ａ、１２Ｂの各ドレインは共通接続され、その共通接続部は出力端子３に接続されている。
【００４６】
基準電圧生成回路１４Ａは、誤差増幅器１１に供給する基準電圧ＶＲ１と、スイッチングレギュレータ２の誤差増幅器２１に供給する基準電圧ＶＲ０とを生成するようになっている。
スイッチングレギュレータ２は、図１と同様に構成され、誤差増幅器２１、電圧制御発振器（ＶＣＯ）２２、比較回路２３、プリドライブ回路２４、Ｐ型のＭＯＳトランジスタ２５、Ｎ型のＭＯＳトランジスタ２６などから構成される。
【００４７】
次に、このような構成からなる第２実施形態の動作例について、図３を参照して説明する。
いま、出力端子３に接続されている負荷が所定値よりも大きな場合には、動作切り換え信号Ｓ１がＨレベルとなり、スイッチングレギュレータ２が動作し、シリーズレギュレータ１Ａは動作が停止状態となる。従って、負荷が所定値よりも大きな場合には、スイッチングレギュレータ２により負荷に電力が供給される。
【００４８】
一方、出力端子３に接続されている負荷が所定値よりも小さな場合には、動作切り換え信号Ｓ１がＬレベルとなり、シリーズレギュレータ１Ａが動作し、スイッチングレギュレータ２は動作が停止状態となる。ただし、この場合には、シリーズレギュレータ１Ａは、本来（通常）の動作であるので、その出力能力が第１の出力能力となるように動作する。  すなわち、この場合には、能力切り換え信号Ｓ２はＬレベルにあり、スイッチ１５の可動接点が図３の状態となるので、誤差増幅器１１からの誤差信号はＭＯＳトランジスタ１２Ａに供給される。
【００４９】
このため、シリーズレギュレータ１Ａの単独の動作時（通常動作時）には、誤差増幅器１１は出力電圧を基準電圧ＶＲ１を用いて比較し、この比較出力である誤差信号をＭＯＳトランジスタ１２Ａのゲートに供給する。
ところで、シリーズレギュレータ１Ａからスイッチングレギュレータ２に動作を切り換える場合には、動作切り換え信号Ｓ１はＬレベルからＨレベルに変化する。また、このときには、能力切り換え信号Ｓ２もＬレベルからＨレベルに変化する。
【００５０】
これにより、その切り換え直後の所定期間は、シリーズレギュレータ１Ａとスイッチングレギュレータ２とが同時動作する。そして、その同時動作の所定期間には、シリーズレギュレータ１Ａは、スイッチングレギュレータ２の動作の移行に伴う出力電圧の低下を補完するための出力補完動作を行うので、その出力能力が第２の出力能力となるように動作する。
【００５１】
すなわち、その所定期間では、スイッチ１５の可動接点が図３の位置とは反対の位置になるので、誤差増幅器１１からの誤差信号はＭＯＳトランジスタ１２Ｂに供給される。このため、シリーズレギュレータ１Ａでは、誤差増幅器１１は出力電圧を基準電圧ＶＲ１を用いて比較し、この比較出力である誤差信号をＭＯＳトランジスタ１２Ｂのゲートに供給する。
【００５２】
このため、シリーズレギュレータ１Ａからスイッチングレギュレータ２に動作を切り換える場合には、その切り換え直後の所定期間に、スイッチングレギュレータ２が出力電圧ＶＯＵＴを低下させようとするが、その低下をシリーズレギュレータ１Ａの通常動作よりも大きな出力能力によって補完することができる。この結果、出力電圧ＶＯＵＴは、第１実施形態と同様に変動を抑制することができる。
【００５３】
（第３実施形態）
本発明の電源装置の第３実施形態について、図４を参照して説明する。
この第３実施形態に係る電源装置は、図４に示すように、シリーズレギュレータ１Ｂと、スイッチングレギュレータ２と、共通の出力端子３とを備え、共通の出力端子３に接続される負荷（図示せず）の負荷の大きさに応じて、シリーズレギュレータ１Ｂとスイッチングレギュレータ２とを選択的に動作させるようになっている。その選択動作は制御端子５に供給される動作切り換え信号Ｓ１を用いて行うようになっている。
【００５４】
この第３実施形態は、上記の第１実施形態と第２実施形態とを組み合わせ、その一層の効果を図るようにしたものである。
すなわち、この第３実施形態では、スイッチングレギュレータ２からシリーズレギュレータ１Ｂに動作を切り換える場合には、シリーズレギュレータ１Ｂは第１の出力能力で動作させるようになっている。
【００５５】
すなわち、この場合には、シリーズレギュレータ１Ｂは、誤差増幅器１１の基準電圧として第１基準電圧ＶＲ１を選択し、ＭＯＳトランジスタとしてＭＯＳトランジスタ１２Ａを選択するようになっている。
さらに、この実施形態では、シリーズレギュレータ１Ｂからスイッチングレギュレータ２に動作を切り換える場合には、その切り換え直後の所定期間はシリーズレギュレータ１Ｂとスイッチングレギュレータ２とを同時動作させ、その同時動作の所定期間はシリーズレギュレータ１Ｂは第２の出力能力で動作させるようになっている。
【００５６】
すなわち、その所定期間内では、シリーズレギュレータ１Ｂは、誤差増幅器１１の基準電圧として第１基準電圧ＶＲ２を選択し、ＭＯＳトランジスタとしてＭＯＳトランジスタ１２Ｂを選択するようになっている。
なお、この第３実施形態は、図１に示す第１実施形態と図３に示す第３実施形態と共通する構成要素を含むので、その共通する構成要素については、同一符号を付してその説明はできるだけ省略する。
【００５７】
次に、この第３実施形態の各部の構成の詳細について説明する。
シリーズレギュレータ１Ｂは、誤差増幅器１１と、スイッチ１３と、スイッチ１５と、２つのＰ型のＭＯＳトランジスタ１２Ａ、１２Ｂとを備えるとともに、基準電圧生成回路１４を含んでいる。
誤差増幅器１１は、出力電圧ＶＯＵＴを検出した検出電圧を第１基準電圧ＶＲ１または第２基準電圧ＶＲ２と比較し、その差に応じた誤差信号をそれぞれ生成して出力するようになっている。誤差増幅器１１の出力は、ＭＯＳトランジスタ１２ＡのゲートまたはＭＯＳトランジスタ１２Ｂのゲートに供給されるようになっている。
【００５８】
スイッチ１３は、基準電圧生成回路１４の生成する第１基準電圧ＶＲ１と第２基準電圧ＶＲ２とを選択的に誤差増幅器１１の＋入力端子に供給するようになっている。スイッチ１３の上記の選択動作は、制御端子４に入力される能力切り換え信号Ｓ２によって制御されるようになっている。
スイッチ１５は、誤差増幅器１１の出力を、ＭＯＳトランジスタ１２ＡまたはＭＯＳトランジスタ１２Ｂの各ゲートに選択的に供給するようになっている。スイッチ１５の上記の選択動作は、制御端子４に入力される能力切り換え信号Ｓ２によって制御されるようになっている。
【００５９】
ＭＯＳトランジスタ１２Ａ、１２Ｂの各ソースは共通接続され、その共通接続部には入力電圧ＶＤＤが印加されている。また、ＭＯＳトランジスタ１２Ａ、１２Ｂの各ドレインは共通接続され、その共通接続部は出力端子３に接続されている。
スイッチングレギュレータ２は、図１と同様に構成され、誤差増幅器２１、電圧制御発振器（ＶＣＯ）２２、比較回路２３、プリドライブ回路２４、Ｐ型のＭＯＳトランジスタ２５、Ｎ型のＭＯＳトランジスタ２６などから構成される。
【００６０】
次に、このような構成からなる第３実施形態の動作例について、図４を参照して説明する。
いま、出力端子３に接続されている負荷が所定値よりも大きな場合には、動作切り換え信号Ｓ１がＨレベルとなり、スイッチングレギュレータ２が動作し、シリーズレギュレータ１Ｂは動作が停止状態となる。従って、負荷が所定値よりも大きな場合には、スイッチングレギュレータ２により負荷に電力が供給される。
【００６１】
一方、出力端子３に接続されている負荷が所定値よりも小さな場合には、動作切り換え信号Ｓ１がＬレベルとなり、シリーズレギュレータ１Ｂが動作し、スイッチングレギュレータ２は動作が停止状態となる。ただし、この場合には、シリーズレギュレータ１Ｂは、本来（通常）の動作であるので、その出力能力が第１の出力能力となるように動作する。  すなわち、この場合には、能力切り換え信号Ｓ２はＬレベルにある。このため、スイッチ１３の可動接点が図４の状態となるので、誤差増幅器１１に供給される基準電圧は、基準電圧生成回路１４が生成する基準電圧ＶＲ１になる。これと同時に、スイッチ１５の可動接点が図４の状態となるので、誤差増幅器１１からの誤差信号はＭＯＳトランジスタ１２Ａに供給される。
【００６２】
このため、シリーズレギュレータ１Ｂの単独の動作時（通常動作時）には、誤差増幅器１１は出力電圧を基準電圧ＶＲ１を用いて比較し、この比較出力である誤差信号をＭＯＳトランジスタ１２Ａのゲートに供給する。
ところで、シリーズレギュレータ１Ｂからスイッチングレギュレータ２に動作を切り換える場合には、動作切り換え信号Ｓ１はＬレベルからＨレベルに変化する。また、このときには、能力切り換え信号Ｓ２もＬレベルからＨレベルに変化する。
【００６３】
これにより、その切り換え直後の所定期間は、シリーズレギュレータ１Ｂとスイッチングレギュレータ２とが同時動作する。そして、その同時動作の期間には、シリーズレギュレータ１Ｂは、スイッチングレギュレータ２の移行に伴う出力電圧の低下を補完するための出力補完動作を行うので、その出力能力が第２の出力能力となるように動作する。
すなわち、その同時動作の期間では、スイッチ１３の可動接点が図４の位置とは反対の位置に切り換わり、これと同時にスイッチ１５の可動接点が図４の位置とは反対の位置に切り換わる。このため、誤差増幅器１１に供給される基準電圧は、基準電圧生成回路１４が生成する基準電圧ＶＲ２になり、誤差増幅器１１からの誤差信号はＭＯＳトランジスタ１２Ｂに供給される。
【００６４】
このため、シリーズレギュレータ１Ｂからスイッチングレギュレータ２に動作を切り換える場合には、その切り換え直後の同時動作の期間に、スイッチングレギュレータ２が出力電圧ＶＯＵＴを低下させようとするが、その低下をシリーズレギュレータ１Ｂの通常動作よりも大きな出力能力によって補完することができる。この結果、出力電圧ＶＯＵＴは、第１実施形態や第２実施形態と同様に変動を抑制することができる。
【００６５】
（第４実施形態）
本発明の電源装置の第４実施形態の構成について、図５を参照して説明する。
この第４実施形態に係る電源装置は、図５に示すように、出力電圧を所定値に制御するシリーズレギュレータ１Ｃと、ＰＷＭ制御によりスイッチング素子をオンオフさせて出力電圧を所定値に制御するスイッチングレギュレータ２Ａと、共通の出力端子３とを備え、共通の出力端子３に接続される負荷（図示せず）の大きさに応じて、シリーズレギュレータ１Ｃとスイッチングレギュレータ２Ａとを選択的に動作させるようになっている。その選択動作は、制御端子５に供給される動作切り換え信号Ｓ１を用いて行うようになっている。
【００６６】
また、この第４実施形態では、スイッチングレギュレータ２Ａからシリーズレギュレータ１Ｃに動作を切り換える場合には、その切り換え直後の所定期間はシリーズレギュレータ１Ｃとスイッチングレギュレータ２Ａとを同時動作させ、その同時動作の所定期間は、スイッチングレギュレータ２Ａは、ＰＷＭ制御を停止させるなどしてそのＰＷＭ制御（フィードバック制御）を行わずに、所定のデューティからなるパルスでスイッチング素子をオンオフさせるようにしている。
【００６７】
なお、上記のパルスのデューティは、同時動作するシリーズレギュレータ１Ｃの設定出力電圧に基づいて決定するのが好ましい。
ここで、この第４実施形態は、図示のように、スイッチングレギュレータ２Ａを構成するコイルＬ１と、シリーズレギュレータ１Ｃとスイッチングレギュレータ２Ａに兼用されるコンデンサＣ１と、抵抗Ｒ１、Ｒ２からなり出力電圧ＶＯＵＴを検出するための出力電圧検出回路とを含み、これらは外付けとなっている。
【００６８】
次に、この第４実施形態の各部の構成の詳細について説明する。
シリーズレギュレータ１Ｃは、出力電圧を基準電圧を用いて比較し、この比較出力で制御部を動作させて出力端子３に出力する出力電圧ＶＯＵＴを所定値に制御するようになっている。
このため、シリーズレギュレータ１は、誤差増幅器１１と、Ｐ型のＭＯＳトランジスタ１２とを備えるとともに、基準電圧生成回路１４Ａを含み、その動作時に、出力電圧ＶＯＵＴが所定値になるようにＭＯＳトランジスタ１２の導通制御を連続的に行うようになっている。
【００６９】
誤差増幅器１１は、出力電圧ＶＯＵＴを検出した検出電圧を基準電圧ＶＲ１と比較し、その差に応じた誤差信号をそれぞれ生成して出力するようになっている。誤差増幅器１１の出力は、ＭＯＳトランジスタ１２のゲートに供給されるようになっている。ＭＯＳトランジスタ１２のソースには入力電圧ＶＤＤが印加され、そのドレインが共通の出力端子３に接続されている。
【００７０】
基準電圧生成回路１４Ａは、誤差増幅器１１に供給する基準電圧ＶＲ１と、スイッチングレギュレータ２Ａの誤差増幅器２１に供給する基準電圧ＶＲ０とを生成するようになっている。
スイッチングレギュレータ２Ａは、出力電圧を基準電圧ＶＲ０を用いて比較し、この比較出力に基づいてＰＷＭ信号を生成し、そのＰＷＭ信号を用いて、出力端子３に出力する出力電圧ＶＯＵＴを所定値に制御するようになっている。
【００７１】
また、スイッチングレギュレータ２Ａは、単独で動作する場合にはＰＷＭ制御による動作を行うが、シリーズレギュレータ１Ｃからスイッチングレギュレータ２Ａに動作が切り換わって単独動作に移行する際に、そのＰＷＭ制御による動作を行わずに、後述の所定の動作を行うようになっている。
このため、スイッチングレギュレータ２Ａは、図示のように、誤差増幅器２１と、電圧制御発振器（ＶＣＯ）２２と、比較回路２３と、プリドライブ回路２４と、スイッチ２７と、Ｐ型のＭＯＳトランジスタ２５と、Ｎ型のＭＯＳトランジスタ２６と、コイルＬ１と、コンデンサＣ１とを備えている。
【００７２】
誤差増幅器２１は、出力電圧ＶＯＵＴを検出した検出電圧を基準電圧ＶＲ０と比較し、その差に応じた誤差信号を生成して出力するようになっている。
このため、誤差増幅器２１は、その＋入力端子に基準電圧生成回路１４で生成される基準電圧ＶＲ０が供給され、その−入力端子に出力電圧ＶＯＵＴを抵抗Ｒ１、Ｒ２で分圧した検出電圧が供給されるようになっている。誤差増幅器２１の出力は比較回路２３の＋入力端子に供給されるようになっている。
【００７３】
電圧制御発振器２２は、所定の発振周波数で発振し、その発振出力は比較回路２３の−入力端子とスイッチ２７とにそれぞれ供給されるようになっている。
比較回路２３は、誤差増幅器２１からの誤差信号と電圧制御発振器２２からの発振出力とに基づき、所定のＰＷＭ信号を生成し、この生成されたＰＷＭ信号をプリドライブ回路２４に出力するようになっている。すなわち、比較回路２３は、誤差増幅器２１からの誤差信号の大小に応じて、そのパルス幅が異なる所定のパルスを生成して出力するようになっている。
【００７４】
スイッチ２７は、比較回路２３からのＰＷＭ信号と電圧制御発振器２２からの発振出力であるデューティが一定のパルス信号とを、選択的にプリドライブ回路２４に供給（入力）するようになっている。スイッチ２７の選択的は動作は、制御端子７に供給されるデューティ切り換え信号Ｓ３によって制御されるようになっている。
プリドライブ回路２４は、比較回路２３からのＰＷＭ変調されたパルス（ＰＷＭ信号）、あるいは電圧制御発振器２２からのデューティが一定のパルスに基づき、ＭＯＳトランジスタ２５、２６をそれぞれオンオフ動作させるオンオフ信号を生成するようになっている。
【００７５】
ＭＯＳトランジスタ２５とＭＯＳトランジスタ２６とは、プリドライブ回路２４からのオンオフ信号に応じて一方がオンのときには他方がオフとなり、入力電圧ＶＤＤをオンオフ制御するようになっている。
ＭＯＳトランジスタ２５とＭＯＳトランジスタ２６との共通接続部は端子６に接続され、その端子６にコイルＬ１の一端が接続され、そのコイルＬ１の他端とアースとの間にコンデンサＣ１が接続されている。そして、そのコイルＬ１とコンデンサＣ１とは、出力端子３から出力されるスイッチングレギュレータ２の出力電圧ＶＯＵＴを平滑化するようになっている。
【００７６】
次に、このような構成からなる第４実施形態の動作例について、図５および図６を参照して説明する。
図６（Ａ）に示すように、出力端子３に接続されている負荷が所定値よりも大きな場合には、動作切り換え信号Ｓ１がＨレベルとなり、スイッチングレギュレータ２ＡがＰＷＭ制御により動作し、シリーズレギュレータ１Ｃは動作が停止状態となる。従って、負荷が所定値よりも大きな場合には、スイッチングレギュレータ２Ａにより負荷に電力が供給される。
【００７７】
すなわち、この場合には、スイッチ２７の可動接点は図５の位置となり、スイッチングレギュレータ２Ａは、ＰＷＭ制御を行う。このため、比較回路２３から図３（Ｄ）に示すようなＰＷＭ信号が出力され、プリドライブ回路２４はそのＰＷＭ信号に基づき、ＭＯＳトランジスタ２５、２６をそれぞれオンオフ動作させる。
一方、出力端子３に接続されている負荷が所定値よりも小さな場合には、動作切り換え信号Ｓ１がＬレベルとなり、シリーズレギュレータ１Ｃが動作し、スイッチングレギュレータ２Ａは動作が停止状態となる（図６（Ｂ）参照）。
【００７８】
ところで、シリーズレギュレータ１Ｃからスイッチングレギュレータ２Ａに動作を切り換える場合には、図６（Ａ）に示すように動作切り換え信号Ｓ１はＬレベルからＨレベルに変化する。また、このときには、図６（Ｃ）に示すようにデューティ切り換え信号Ｓ３もＬレベルからＨレベルに変化する。
これにより、その切り換え直後の所定期間Ｔ１は、シリーズレギュレータ１Ｃとスイッチングレギュレータ２Ａとが同時動作する。
【００７９】
そして、その同時動作の所定期間Ｔ１には、スイッチングレギュレータ２Ａは、ＰＷＭ制御を一時的に停止し、所定のデューティからなるパルスでＭＯＳトランジスタ２５、２６をオンオフ制御させる。
この結果、その所定期間Ｔ１では、図６（Ｃ）に示すようにデューティ切り換え信号Ｓ３はＨレベルにあり、スイッチ２７の可動接点が図５の位置とは反対の位置に切り換わるので、電圧制御発振器２２から出力させるデューティが一定のパルスがプリドライブ回路２４に供給される。このため、プリドライブ回路２４はそのデューティが一定のパルスに基づき、ＭＯＳトランジスタ２５、２６をそれぞれオンオフ動作させる。
【００８０】
このように、シリーズレギュレータ１Ｃからスイッチングレギュレータ２Ａに動作を切り換える場合には、その切り換え直後の所定期間Ｔ１に、スイッチングレギュレータ２ＡがＰＷＭ制御に代え、デューティが一定のパルスを用いて出力制御を行うようにした。また、その所定期間Ｔ１においては、シリーズレギュレータ１Ｃを同時に動作させるようにした。
【００８１】
このため、その同時動作する所定期間Ｔ１には、シリーズレギュレータ１Ｃとスイッチングレギュレータ２Ａとの各出力電圧には差がないので、出力電圧ＶＯＵＴは、図６（Ｅ）に示すようにその変動が抑制される。
この効果が発揮できるのは、所定期間Ｔ１において、スイッチングレギュレータ２Ａで使用されるパルスのデューティを、シリーズレギュレータ１Ｃの設定出力電圧に基づいて決定する場合である。
【００８２】
ここで、所定期間Ｔ１において、スイッチングレギュレータ２Ａで使用するパルスは、上記の例では電圧制御発振器２２の出力を利用するようにしたが、これに代えて外部から別途供給するようにしても良い。
以上のように、この第４実施形態では、シリーズレギュレータ１Ｃとスイッチングレギュレータ２Ａとを同時に動作させる期間に、スイッチングレギュレータ２Ａは、ＰＷＭ制御を行わずに所定のデューティからなるパルスでスイッチング素子をオンオフさせるようにした。
【００８３】
このため、この第４実施形態では、シリーズレギュレータ１Ｃからスイッチングレギュレータ２Ａへの動作の切り換え時に、出力電圧の変動を抑制できる。
【図面の簡単な説明】
【００８４】
【図１】本発明の電源装置の第１実施形態の構成を示す図である。
【図２】その第１実施形態の動作例を説明するための各部の波形図である。
【図３】本発明の電源装置の第２実施形態の構成を示す図である。
【図４】本発明の電源装置の第３実施形態の構成を示す図である。
【図５】本発明の電源装置の第４実施形態の構成を示す図である。
【図６】その第４実施形態の動作例を説明するための各部の波形図である。
【符号の説明】
【００８５】
１、１Ａ〜１Ｃ・・・シリーズレギュレータ、２、２Ａ・・・スイッチングレギュレータ、３・・・出力端子、１１、２１・・・誤差増幅器、１２、１２Ａ、１２Ｂ・・・ＭＯＳトランジスタ、１３・・・スイッチ、１４、１４Ａ・・・基準電圧生成回路、１５・・・スイッチ、２２・・・電圧制御発振器（ＶＣＯ）、２３・・・比較回路、２４・・・プリドライブ回路、２５、２６・・・ＭＯＳトランジスタ、２７・・・スイッチ。
【図１】
2007202260.tif 000003
【図２】
2007202260.tif 000004
【図３】
2007202260.tif 000005
【図４】
2007202260.tif 000006
【図５】
2007202260.tif 000007
【図６】
2007202260.tif 000008